【手続補正書】
【提出日】平成18年4月21日(2006.4.21)
【手続補正１】
【補正対象書類名】明細書
【補正対象項目名】特許請求の範囲
【補正方法】変更
【補正の内容】
【特許請求の範囲】
【請求項１】光源装置と、この光源装置からの光を一端部から導入して所要の照射部へ他端部から照射する光ファイバとを備えてなる照明装置において、前記光ファイバの前記他端部に、光を欲しい方向へと導く反射板と、前記光ファイバの前記他端部に外嵌めされ端部の前記反射板による光照射側が低く形成されている本体と、を備える照射方向変更装置を設けたことを特徴とする照明装置。
【請求項２】 前記照射方向変更装置は前記光ファイバの光軸に垂直な軸の回りに回動可能な反射板を有する請求項１記載の照明装置。
【請求項３】 前記照射方向変更装置は前記光ファイバの他端部と前記反射板との間に集光レンズを介在した請求項２記載の照明装置。
【請求項４】 前記照射方向変更装置は前記光ファイバに対して前記光ファイバの光軸回りに回転可能に配設された請求項１記載の照明装置。
【請求項５】 前記光ファイバは前記他端部が上端となるように立設される請求項１記載の照明装置。
【請求項６】 前記照射方向変更装置は前記光ファイバの他端部と前記反射板との間にフィルタを介在している請求項２記載の照明装置。
【請求項７】光源装置と、この光源装置からの光を一端部から導入して所要の照射部へ他端部から照射する光ファイバとを備えてなる照明装置において、前記光ファイバの前記他端部に光の屈折により光の方向を変更する照射方向変更用レンズを有する前記照射方向変更装置を設けたことを特徴とする照明装置。
【請求項８】 前記照射方向変更装置は支柱により取付面に立設され、前記支柱は取付面から照射方向変更装置への距離可変に形成される請求項１記載の照明装置。
【請求項９】 前記支柱は径の異なる複数のユニットからなり、前記支柱の先端部ほど小径となるように互いに小径ユニットを大径ユニット内に収納可能にして伸縮自在に形成された請求項８記載の照明装置。
【請求項１０】 前記支柱は取付面に出没自在に立設された請求項８記載の照明装置。
【請求項１１】 前記照射方向変更装置は前記光ファイバの前記他端部に外嵌めされる本体の内側に、網状体からなるバッフルを有する請求項１記載の照明装置。
【手続補正２】
【補正対象書類名】明細書
【補正対象項目名】０００６
【補正方法】変更
【補正の内容】
【０００６】
【課題を解決するための手段】
請求項１記載の照明装置は、光源装置と、この光源装置からの光を一端部から導入して所要の照射部へ他端部から照射する光ファイバとを備えてなる照明装置において、前記光ファイバの前記他端部に、光を欲しい方向へと導く反射板と、前記光ファイバの前記他端部に外嵌めされ端部の前記反射板による光照射側が低く形成されている本体と、を備える照射方向変更装置を設けたことを特徴とするものである。
【手続補正３】
【補正対象書類名】明細書
【補正対象項目名】０００７
【補正方法】変更
【補正の内容】
【０００７】
請求項１記載の照明装置によれば、照射方向変更装置により、可とう管を必要とすることなく照射方向を変更することができる。また反射光のうち、本体の先端部の光照射側に当たるものが少なくなり、ロスを低減することができる。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】
請求項７記載の照明装置は、光源装置と、この光源装置からの光を一端部から導入して所要の照射部へ他端部から照射する光ファイバとを備えてなる照明装置において、前記光ファイバの前記他端部に光の屈折により光の方向を変更する照射方向変更用レンズを有する前記照射方向変更装置を設けたことを特徴とするものである。
【手続補正７】
【補正対象書類名】明細書
【補正対象項目名】００２１
【補正方法】変更
【補正の内容】
【００２１】
請求項７記載の照明装置によれば、照射方向変更装置により、可とう管を必要とすることなく照射方向を変更することができる。
【手続補正８】
【補正対象書類名】明細書
【補正対象項目名】００２２
【補正方法】変更
【補正の内容】
【００２２】
請求項８記載の照明装置は、請求項１において、前記照射方向変更装置が支柱により取付面に立設され、前記支柱は取付面から照射方向変更装置への距離可変に形成されるものである。
【手続補正９】
【補正対象書類名】明細書
【補正対象項目名】００２３
【補正方法】変更
【補正の内容】
【００２３】
請求項８記載の照明装置によれば、請求項１と同様な効果のほか、高さ調節が可能となる。
【手続補正１０】
【補正対象書類名】明細書
【補正対象項目名】００２４
【補正方法】変更
【補正の内容】
【００２４】
請求項９記載の照明装置は、請求項８において、前記支柱が径の異なる複数のユニットからなり、前記支柱の先端部ほど小径となるように互いに小径ユニットを大径ユニット内に収納可能にして伸縮自在に形成されたものである。
【手続補正１１】
【補正対象書類名】明細書
【補正対象項目名】００２５
【補正方法】変更
【補正の内容】
【００２５】
請求項９記載の照明装置によれば、請求項８と同様な効果がある。
【手続補正１２】
【補正対象書類名】明細書
【補正対象項目名】００２６
【補正方法】変更
【補正の内容】
【００２６】
請求項１０記載の照明装置は、請求項８において、前記支柱は取付面に出没自在に立設されたものである。
【手続補正１３】
【補正対象書類名】明細書
【補正対象項目名】００２７
【補正方法】変更
【補正の内容】
【００２７】
請求項１０記載の照明装置によれば、請求項８と同様な効果がある。
【手続補正１４】
【補正対象書類名】明細書
【補正対象項目名】００２８
【補正方法】変更
【補正の内容】
【００２８】
請求項１１記載の照明装置は、請求項１において、前記照射方向変更装置が光ファイバの他端部に外嵌めされる本体の内側に、網状体からなるバッフルを備えるものである。
【手続補正１５】
【補正対象書類名】明細書
【補正対象項目名】００２９
【補正方法】変更
【補正の内容】
【００２９】
請求項１１記載の照明装置によれば、請求項１と同様な効果のほか、本体内の不快グレアをカットすることができる。
【手続補正１６】
【補正対象書類名】明細書
【補正対象項目名】００３７
【補正方法】変更
【補正の内容】
【００３７】
図４は、反射板１２の反射光が水平に対して下方向きに傾いた状態である。この場合、光が反射板１２に当たる範囲１８ａは図３（ｂ）に示すようにグレアカット部材１１の端面の内形状に近づいてくる。図５は反射板１２の反射光が水平方向に対して上方向きに傾いた状態である。この場合、光が反射板１２に当たる範囲１８ｂは図４（ｂ）に示すように細長い形となり、照射範囲が拡がる。
【手続補正１７】
【補正対象書類名】明細書
【補正対象項目名】００４８
【補正方法】変更
【補正の内容】
【００４８】
（実施の形態４）
この発明の請求項８から請求項１０に対応する第４の実施の形態を図９に示す。実際の展示等による照明展示では被照射部３の高さの違い、あるいは光照射の必要な高さが違うことがある。このような場合に光照射の高さを簡単に変更させるための手段を示す。すなわち、照射方向変更装置６は支柱２５により底板９の取付面に立設され、支柱２５は取付面から照射方向変更装置６への距離を可変に形成される。形態はアンテナ構造式と埋込スライド式の２つを示す。
【手続補正１８】
【補正対象書類名】明細書
【補正対象項目名】００５４
【補正方法】変更
【補正の内容】
【００５４】
（実施の形態５）
この発明の請求項１１に対応する第５の実施の形態を図１０に示す。照射方向変更装置の内壁からの不快グレアを回避するためには従来、内壁を黒塗装するなどの方策がとられていたが、マスキングが必要であるなど手間がかかり、またつや消しの黒塗装を施しても、完壁にはグレアカットはなされなかった。
【手続補正１９】
【補正対象書類名】明細書
【補正対象項目名】００６０
【補正方法】変更
【補正の内容】
【００６０】
【発明の効果】
請求項１記載の照明装置によれば、照射方向変更装置により、可とう管を必要とすることなく照射方向を変更することができる。また反射光のうち、本体の先端部の光照射側に当たるものが少なくなり、ロスを低減することができる。
【手続補正２０】
【補正対象書類名】明細書
【補正対象項目名】００６６
【補正方法】削除
【補正の内容】
【手続補正２１】
【補正対象書類名】明細書
【補正対象項目名】００６７
【補正方法】変更
【補正の内容】
【００６７】
請求項７記載の照明装置によれば、照射方向変更装置により、可とう管を必要とすることなく照射方向を変更することができる。
【手続補正２２】
【補正対象書類名】明細書
【補正対象項目名】００６８
【補正方法】変更
【補正の内容】
【００６８】
請求項８記載の照明装置によれば、請求項１と同様な効果のほか、高さ調節が可能となる。
【手続補正２３】
【補正対象書類名】明細書
【補正対象項目名】００６９
【補正方法】変更
【補正の内容】
【００６９】
請求項９記載の照明装置によれば、請求項８と同様な効果がある。
【手続補正２４】
【補正対象書類名】明細書
【補正対象項目名】００７０
【補正方法】変更
【補正の内容】
【００７０】
請求項１０記載の照明装置によれば、請求項８と同様な効果がある。
【手続補正２５】
【補正対象書類名】明細書
【補正対象項目名】００７１
【補正方法】変更
【補正の内容】
【００７１】
請求項１１記載の照明装置によれば、請求項１と同様な効果のほか、本体内の不快グレアをカットすることができる。